(57)【要約】      （修正有）【課題】長手軸に平行な方向についての引張り強度が確保された内視鏡洗浄シースを提供する。【解決手段】内視鏡洗浄シース３は、シース本体２１（マルチルーメンチューブ）と、シース本体の先端部に固定される先端側固定部２２と、シース本体の基端部に固定される基端側固定部２３と、を備える。内視鏡洗浄シースは、先端側接続位置Ｐ１で先端が先端側固定部に固定され、基端側接続位置Ｐ２で基端が基端側固定部に固定される線状部であって、先端側接続位置と基端側接続位置との間で線芯軸Ｌに沿って延設され、長手軸Ｃに平行な方向についての引張り強度がシース本体より高い線状部５１を備える。【選択図】図２
0003190611.tif 000002
【実用新案登録請求の範囲】
【請求項１】
長手軸に沿って延設される挿入部を備え、前記挿入部の先端部に観察窓が設けられる内視鏡に取付けられる内視鏡洗浄シースであって、
前記内視鏡の前記挿入部を挿入可能な内視鏡挿入管路を前記長手軸に沿って規定する挿入管路規定部と、基端方向から先端方向へ流体を送ることが可能な流体管路を規定する流体管路規定部と、を備えるシース本体と、
前記シース本体の先端部に固定される先端側固定部であって、前記内視鏡に取付けられた状態において、前記流体管路を通った前記流体を前記内視鏡の前記観察窓に向かって出射可能な流体出射部を備える先端側固定部と、
前記シース本体の基端部に固定される基端側固定部と、
先端側接続位置で先端が前記先端側固定部に固定され、基端側接続位置で基端が前記基端側固定部に固定される線状部であって、前記先端側接続位置と前記基端側接続位置との間で線芯軸に沿って延設され、前記長手軸に平行な方向についての引張り強度が前記シース本体より高い線状部と、
を具備し、
前記シース本体は、前記内視鏡挿入管路と前記シース本体の外部との間を連通させる孔を規定する孔規定部を備え、
前記線状部は、
前記内視鏡挿入管路を通って前記基端方向へ向かって前記孔まで延設される第１の軸方向延設部と、
前記内視鏡挿入管路を通って前記先端方向へ向かって前記孔まで延設される第２の軸方向延設部と、
前記第１の軸方向延設部で前記基端方向へ向かって延設される状態から周方向の一方である第１の周方向へ向かって前記孔から延設される状態に、前記孔の位置で前記線状部が屈曲する第１の屈曲部と、
前記第２の軸方向延設部で前記先端方向へ向かって延設される状態から前記第１の周方向とは反対方向である第２の周方向へ向かって前記孔から延設される状態に、前記孔の位置で前記線状部が屈曲する第２の屈曲部と、
前記孔から前記第１の周方向へ向かって前記シース本体の外周面に延設され、前記第１の屈曲部から前記第２の軸方向延設部の内周方向側の部位を通過して前記シース本体の前記外周面に延出される第１の周方向延設部と、
前記孔から前記第２の周方向へ向かって前記シース本体の前記外周面に延設され、前記シース本体の前記外周面で前記第１の周方向延設部と連続する第２の周方向延設部であって、前記第２の屈曲部から前記第１の軸方向延設部の前記内周方向側の部位を通過して前記シース本体の前記外周面に延出される第２の周方向延設部と、
を備える、内視鏡洗浄シース。
【考案の詳細な説明】
【技術分野】
【０００１】
本考案は、挿入部の先端部に観察窓が設けられる内視鏡に取付けられる内視鏡洗浄シースに関する。
【背景技術】
【０００２】
特許文献１には、挿入部の先端部に観察窓が設けられる内視鏡に取付けられる内視鏡洗浄シースが、開示されている。この内視鏡洗浄シースは、シース本体であるマルチメンチューブ（multi-lumen tube）を備える。マルチルーメンチューブには、内視鏡の挿入部を挿入可能な内視鏡挿入管路が、長手軸に沿って規定されている。また、マルチルーメンチューブには、流体として空気を基端方向から先端方向へ送気可能な送気管路、及び、流体として水を基端方向から先端方向へ送水可能な送水管路が、流体管路として規定されている。マルチルーメンチューブの先端部には、先端側固定部が固定されている。先端側固定部には、送気管路と送水管路とを合流させる合流部と、合流部で合流した空気及び水を出射可能な流体出射部であるノズルと、が設けられている。内視鏡洗浄シースが内視鏡に取付けられた状態において、挿入部の観察窓に向かって合流した空気及び水をノズルから出射可能である。観察窓に空気及び水が出射されることにより、体腔内での内視鏡による被写体の観察において、挿入部を体腔から抜脱することなく、観察窓に付着した汚れを洗浄可能となる。
【０００３】
特許文献２にも、挿入部の先端部に観察窓が設けられる内視鏡に取付けられる内視鏡洗浄シースが、開示されている。この内視鏡洗浄シースにも、シース本体であるマルチルーメンチューブ及び先端側固定部が、設けられている。そして、マルチルーメンチューブに、内視鏡挿入管路、送気管路及び送水管路が、設けられている。また、先端側固定部に、送気管路と送水管路との合流部、及び、挿入部の観察窓に合流した空気及び水を出射可能な流体出射部であるノズルが設けられている。この内視鏡洗浄シースでは、内視鏡洗浄シースが内視鏡に取付けられた状態において、挿入部の観察窓を拭払い可能なワイパーが設けられている。ワイパーには、ワイヤの先端が接続されている。マルチルーメンチューブには、合流部に連通するワイヤ管路が設けられている。また、マルチルーメンチューブの基端部には、基端側固定部が固定されている。ワイヤは、合流部及びワイヤ管路を通って、基端が引張りばねを介して基端側固定部に接続されている。ノズルから空気及び水が出射されない状態では、引張りばねの付勢力によってワイパーはノズルと観察窓との間に位置し、ワイパーは観察窓を通しての視野から外れている。一方、ノズルから空気及び水が出射される状態では、出射圧によって、付勢力に反してワイパーが観察窓に向かって移動する。これにより、ワイパーによって観察窓が拭払われる。
【先行技術文献】
【特許文献】
【０００４】
【特許文献１】特開２００９−２４７５６６号公報
【特許文献２】特開２００８−２７９２０２号公報
【考案の概要】
【考案が解決しようとする課題】
【０００５】
前記特許文献１及び前記特許文献２のような内視鏡洗浄シースは、挿入部に湾曲部が設けられた内視鏡に取付けられる場合がある。この場合、湾曲部の湾曲動作に追従させて、シース本体であるマルチルーメンチューブを湾曲可能にする必要がある。このため、マルチルーメンチューブは、シリコーン等の軟らかい材料から形成され、可撓性を有する。しかし、内視鏡洗浄シースを備える内視鏡装置の使用において、マルチルーメンチューブに過大な外力が作用することがある。この場合、長手軸に平行な方向についてマルチルーメンチューブが引張られる。マルチルーメンチューブは軟らかい材料から形成されるため、長手軸に平行な方向についての内視鏡洗浄シースの引張り強度は低い。このため、長手軸に平行な方向についてマルチルーメンチューブ（シース本体）が引張られることにより、マルチルーメンチューブが伸長し、内視鏡洗浄シースが破損する可能性がある。
【０００６】
本考案は前記課題に着目してなされたものであり、その目的とするところは、長手軸に平行な方向についての引張り強度が確保された内視鏡洗浄シースを提供することにある。
【課題を解決するための手段】
【０００７】
前記目的を達成するため、本考案のある態様は、長手軸に沿って延設される挿入部を備え、前記挿入部の先端部に観察窓が設けられる内視鏡に取付けられる内視鏡洗浄シースであって、前記内視鏡の前記挿入部を挿入可能な内視鏡挿入管路を前記長手軸に沿って規定する挿入管路規定部と、基端方向から先端方向へ流体を送ることが可能な流体管路を規定する流体管路規定部と、を備えるシース本体と、前記シース本体の先端部に固定される先端側固定部であって、前記内視鏡に取付けられた状態において、前記流体管路を通った前記流体を前記内視鏡の前記観察窓に向かって出射可能な流体出射部を備える先端側固定部と、前記シース本体の基端部に固定される基端側固定部と、先端側接続位置で先端が前記先端側固定部に固定され、基端側接続位置で基端が前記基端側固定部に固定される線状部であって、前記先端側接続位置と前記基端側接続位置との間で線芯軸に沿って延設され、前記長手軸に平行な方向についての引張り強度が前記シース本体より高い線状部と、を備え、前記シース本体は、前記内視鏡挿入管路と前記シース本体の外部との間を連通させる孔を規定する孔規定部を備え、前記線状部は、前記内視鏡挿入管路を通って前記基端方向へ向かって前記孔まで延設される第１の軸方向延設部と、前記内視鏡挿入管路を通って前記先端方向へ向かって前記孔まで延設される第２の軸方向延設部と、前記第１の軸方向延設部で前記基端方向へ向かって延設される状態から周方向の一方である第１の周方向へ向かって前記孔から延設される状態に、前記孔の位置で前記線状部が屈曲する第１の屈曲部と、前記第２の軸方向延設部で前記先端方向へ向かって延設される状態から前記第１の周方向とは反対方向である第２の周方向へ向かって前記孔から延設される状態に、前記孔の位置で前記線状部が屈曲する第２の屈曲部と、前記孔から前記第１の周方向へ向かって前記シース本体の外周面に延設され、前記第１の屈曲部から前記第２の軸方向延設部の内周方向側の部位を通過して前記シース本体の前記外周面に延出される第１の周方向延設部と、前記孔から前記第２の周方向へ向かって前記シース本体の前記外周面に延設され、前記シース本体の前記外周面で前記第１の周方向延設部と連続する第２の周方向延設部であって、前記第２の屈曲部から前記第１の軸方向延設部の前記内周方向側の部位を通過して前記シース本体の前記外周面に延出される第２の周方向延設部と、を備える。
【考案の効果】
【０００８】
本考案によれば、長手軸に平行な方向についての引張り強度が確保された内視鏡洗浄シースを提供することができる。
【図面の簡単な説明】
【０００９】
【図１】本考案の第１の実施形態に係る内視鏡装置の構成を示す概略図である。
【図２】第１の実施形態に係る内視鏡洗浄シースの構成を一部側面で概略的に示す断面図である。
【図３】図２のＩＩＩ−ＩＩＩ線断面図である。
【図４】第１の実施形態に係る内視鏡に内視鏡洗浄シースが取付けられた状態での、先端側固定部及び先端本体部の構成を示す概略図である。
【図５】第１の実施形態に係る内視鏡洗浄シースのある１つの孔の近傍でのマルチルーメンチューブ及び線状部の構成を示す概略図である。
【考案を実施するための形態】
【００１０】
（第１の実施形態）  
本考案の第１の実施形態について、図１乃至図５を参照して説明する。
【００１１】
図１は、内視鏡装置１の構成を示す図である。図１に示すように、内視鏡装置１は、長手軸Ｃを有する。長手軸Ｃに平行な方向の一方が先端方向（図１の矢印Ｃ１の方向）となり、先端方向の反対方向が基端方向（図１の矢印Ｃ２の方向）となる。内視鏡装置１は、内視鏡２と、内視鏡２に取付けられる内視鏡洗浄シース３と、を備える。
【００１２】
内視鏡２は、例えば硬性鏡である。内視鏡２は、長手軸Ｃに沿って延設される挿入部５と、挿入部５の基端方向側に設けられる操作部６と、を備える。操作部６には、ユニバーサルコード７の一端が接続されている。挿入部５は、挿入部５の先端面１０を形成する先端本体部８と、先端本体部８の基端方向側に設けられる湾曲部９と、を備える。湾曲部９は、挿入部５の先端部に設けられ、長手軸Ｃに垂直な２方向又は４方向に湾曲可能である。操作部６には、湾曲部９の湾曲操作が入力される湾曲操作部である湾曲操作レバー１１が設けられている。
【００１３】
ユニバーサルコード７の他端は、観察制御ユニット１２に接続されている。観察制御ユニット１２は、画像プロセッサ等の画像処理部（図示しない）と、光源部（図示しない）と、を備える。観察制御ユニット１２の画像処理部は、表示部であるモニタ１３に電気的に接続されている。挿入部５の先端面１０（先端部）には、観察窓１５及び照明窓１６Ａ，１６Ｂが設けられている。挿入部５の内部には、２つのライトガイド（図示しない）が長手軸Ｃに沿って延設されている。ライトガイドは、操作部６の内部及びユニバーサルコード７の内部を通って、観察制御ユニット１２の光源部に光学的に接続されている。光源部から出射された光は、ライトガイドによって導光される。そして、照明窓１６Ａ，１６Ｂを通して、導光された光が被写体に照射される。
【００１４】
先端本体部８の内部には、ＣＣＤ等の撮像素子（図示しない）が設けられている。撮像素子により、被写体の撮像が行われる。撮像素子には、撮像ケーブル（図示しない）の一端が接続されている。撮像ケーブルは、挿入部５の内部、操作部６の内部、及び、ユニバーサルコード７の内部を通って、他端が観察制御ユニット１２の画像処理部に接続されている。撮像素子で被写体が撮像され、画像処理部に撮像ケーブルを介して電気信号が伝達されることにより、画像処理部で画像処理が行われ、被写体の画像が生成される。生成された被写体の画像は、モニタ１３に表示される。
【００１５】
図２は、内視鏡洗浄シース３の構成を示す図である。図１及び図２に示すように、内視鏡洗浄シース３は、長手軸Ｃに沿って延設されるシース本体であるマルチルーメンチューブ２１を備える。マルチルーメンチューブ２１は、シリコーン（silicone）、ウレタン（urethane）等の軟らかい材料から形成され、可撓性を有する。このため、挿入部５の湾曲部９の湾曲動作に追従して、マルチルーメンチューブ２１は湾曲可能である。また、マルチルーメンチューブ２１は、外部に対して露出する外周面２９を備える。
【００１６】
マルチルーメンチューブ２１の先端部には、先端側固定部２２が固定されている。また、マルチルーメンチューブ２１の基端部には、基端側固定部２３が固定されている。先端側固定部２２及び基端側固定部２３は、マルチルーメンチューブ２１より硬い材料から形成され、可撓性を有さない。
【００１７】
基端側固定部２３には、送気チューブ２５の一端が接続されている。送気チューブ２５の他端は、送気ユニット２６に接続されている。送気ユニット２６は、送気ポンプ２７と、圧力調整弁２８と、備える。送気ポンプ２７を駆動することにより、流体である空気が、圧力調整弁２８によって調整された圧力で、送気チューブ２５を通って供給される。
【００１８】
基端側固定部２３には、送水チューブ３１の一端が接続されている。送水チューブ３１の他端は、送水ユニット３２に接続されている。送水ユニット３２は、送水ポンプ３３と、送水タンク３５と、を備える。送水ポンプ３３を駆動することにより、送水タンク３５から流体である水が、送水チューブ３１を通って供給される。
【００１９】
図３は、図２のＩＩＩ−ＩＩＩ線断面図である。図２及び図３に示すように、マルチルーメンチューブ２１には、挿入管路規定部３６によって、内視鏡挿入管路３７が長手軸Ｃに沿って規定されている。内視鏡挿入管路３７には、内視鏡２の挿入部５を挿入可能である。先端側固定部２２には、内視鏡挿入管路３７と連通する先端側開口部３８が設けられている。また、基端側固定部２３には、内視鏡挿入管路３７と連通する基端側開口部３９が設けられている。基端側開口部３９から内視鏡挿入管路３７に挿入部５を挿入することにより、内視鏡洗浄シース３が内視鏡２に取付けられる。また、先端側固定部２２には、挿入部５の先端面１０が当接可能な当接部４０が設けられている。内視鏡洗浄シース３が内視鏡２に取付けられた状態では、当接部４０は挿入部５の先端面１０に当接している。
【００２０】
図３に示すように、マルチルーメンチューブ２１には、流体管路規定部４１によって、送気管路４２が長手軸Ｃに沿って規定されている。また、マルチルーメンチューブ２１には、流体管路規定部４１によって、送水管路４３が長手軸Ｃに沿って規定されている。送気管路４２及び送水管路４３は、互いに対して分離された状態で、規定されている。また、送気管路４２及び送水管路４３は、挿入管路規定部３６及び流体管路規定部４１によって、内視鏡挿入管路３７から分離されている。
【００２１】
基端側固定部２３には、送気チューブ２５の内部と送気管路４２との間を中継する送気中継部（図示しない）が設けられている。送気中継部に、送気制御弁（図示しない）が設けられている。また、基端側固定部２３には、送水チューブ３１の内部と送水管路４３との間を中継する送水中継部（図示しない）が設けられている。送水中継部に、送水制御弁（図示しない）が設けられている。
【００２２】
また、基端側固定部２３には、制御弁操作部である制御弁操作ボタン４５が取付けられている。制御弁操作ボタン４５を押圧することにより、送気制御弁で送気中継部が開いた状態になり、送気チューブ２５から送気中継部を通って、送気管路４２に空気が送気される。そして、送気管路４２において、基端方向から先端方向へ空気が送気される。また、制御弁操作ボタン４５を押圧することにより、送水制御弁で送水中継部が開いた状態になり、送水チューブ３１から送水中継部を通って、送水管路４３に水が送水される。そして、送水管路４３において、基端方向から先端方向へ水が送水される。以上のように、送気管路４２及び送水管路４３は、基端方向から先端方向へ流体を送ることが可能な流体管路となっている。
【００２３】
図４は、内視鏡２に内視鏡洗浄シース３が取付けられた状態での、先端側固定部２２及び先端本体部８の構成を示す図である。図４に示すように、先端側固定部２２には、送気管路４２と送水管路４３とを合流させる合流部４７が設けられている。合流部４７で、送気管路４２を通った空気と送水管路４３を通った水とが、合流する。また、先端側固定部２２には、合流部４７で合流した空気及び水を出射可能な流体出射部であるノズル４８が、設けられている。内視鏡２に内視鏡洗浄シース３が取付けられた状態では、観察窓１５に向かって空気及び水が出射される。すなわち、ノズル４８は、観察窓１５に向かって流体を出射可能である。
【００２４】
図２及び図３に示すように、先端側固定部２２と基端側固定部２３との間では、内視鏡挿入管路３７を通って、線状部５１が延設されている。線状部５１の先端は、先端側接続位置Ｐ１で先端側固定部２２に固定されている。また、線状部５１の基端は、基端側接続位置Ｐ２で基端側固定部２３に固定されている。線状部５１は、先端側接続位置Ｐ１と基端側接続位置Ｐ２との間で、線芯軸Ｌに沿って延設されている。線芯軸Ｌが、線状部５１の中心軸となる。線状部５１は、アラミド繊維、ナイロン繊維、ポリエチレン繊維、ポリアリレート繊維等の繊維から形成され、マルチルーメンチューブ２１より長手軸Ｃに平行な方向についての引張り強度が高くなっている。このため、線状部５１は、長手軸Ｃに平行な方向に引張られた場合でも伸長しない程度の耐強度を有する。先端側接続位置Ｐ１と基端側接続位置Ｐ２との間の線状部５１の線芯軸Ｌに沿った線寸法Ｓ１は、先端側接続位置Ｐ１と基端側接続位置Ｐ２との間での長手軸Ｃに沿った軸平行寸法Ｓ２より、大きくなる。
【００２５】
図１及び図２に示すように、シース本体であるマルチルーメンチューブ２１には、複数の孔５３Ａ，５３Ｂが孔規定部５２によって規定されている。孔５３Ａは、孔５３Ｂよりも基端方向側に位置している。図５は、ある１つの孔５３Ａの近傍でのマルチルーメンチューブ２１及び線状部５１の構成を示す図である。なお、以下では、孔５３Ａの近傍の構成についてのみ説明するが、孔５３Ｂの近傍の構成についても、同様である。また、本実施形態では、２つの孔５３Ａ，５３Ｂが設けられているが、１つ以上の孔（５３Ａ，５３Ｂ）が、マルチルーメンチューブ２１に規定されていればよい。なお、孔５３Ａ，５３Ｂの形状は、特に限定されるものではない。
【００２６】
図２及び図５に示すように、孔５３Ａによって、内視鏡挿入管路３７とマルチルーメンチューブ２１の外部との間が連通している。線状部５１は、先端側接続位置Ｐ１と基端側接続位置Ｐ２との間において、内視鏡挿入管路３７及びマルチルーメンチューブ２１の外周部２９を通って、線芯軸Ｌに沿って延設されている。
【００２７】
線状部５１は、内視鏡挿入管路３７を通って孔５３Ａまで基端方向（図５の矢印Ｃ２の方向）に向かって延設される第１の軸方向延設部５５と、内視鏡挿入管路３７を通って孔５３Ａまで先端方向（図５の矢印Ｃ１の方向）に向かって延設される第２の軸方向延設部５６と、を備える。第１の軸方向延設部５５において先端方向から孔５３Ａに向かって延設された線状部５１は、孔５３Ａを通る第１の外部延出部５７において、マルチルーメンチューブ２１の外部に延出される。また、第２の軸方向延設部５６において基端方向から孔５３Ａに向かって延設された線状部５１は、孔５３Ａを通る第２の外部延出部５８において、マルチルーメンチューブ２１の外部に延出される。
【００２８】
ここで、２つの周方向の一方を第１の周方向（図１及び図５の矢印Ｒ１の方向）とし、第１の周方向とは反対方向を第２の周方向（図１及び図５の矢印Ｒ２の方向）とする。孔５３Ａを通る第１の外部延出部５７には、第１の屈曲部６１が設けられている。孔５３Ａに位置する第１の屈曲部６１によって、第１の軸方向延設部５５で基端方向へ向かって延設される状態から第１の周方向へ向かって孔５３Ａから延設される状態に、線状部５１が屈曲する。また、孔５３Ａを通る第２の外部延出部５８には、第２の屈曲部６２が設けられている。孔５３Ａに位置する第２の屈曲部６２によって、第２の軸方向延設部５６で先端方向へ向かって延設される状態から第２の周方向へ向かって孔５３Ａから延設される状態に、線状部５１が屈曲する。第１の屈曲部６１及び第２の屈曲部６２は、孔５３Ａにおいて互いに対して、接触していいてもよく、接触していなくてもよい。孔５３Ａでは、第１の軸方向延設部５５は、第２の軸方向延設部５６に対して、例えば第２の周方向側にずれて配設されている。
【００２９】
また、長手軸Ｃに垂直な断面において、長手軸Ｃに向かう方向を内周方向（向軸方向）とし、長手軸Ｃから離れる方向を外周方向（離軸方向）とする。線状部５１は、孔５３Ａから第１の周方向へ向かってマルチルーメンチューブ２１の外周面２９に延設される第１の周方向延設部６３を備える。第１の周方向延設部６３は、第１の屈曲部６１から第２の軸方向延設部５６の内周方向側の部位を通過して、マルチルーメンチューブ２１の外周面２９に延出される。また、線状部５１は、孔５３Ａから第２の周方向へ向かってマルチルーメンチューブ２１の外周面２９に延設される第２の周方向延設部６５を備える。第２の周方向延設部６５は、第２の屈曲部６２から第１の軸方向延設部５５の内周方向側の部位を通過して、マルチルーメンチューブ２１の外周面２９に延出される。
【００３０】
マルチルーメンチューブ２１の外周面２９では、第１の周方向延設部６３と第２の周方向延設部６５とが互いに連続している。したがって、第１の屈曲部５７から第２の屈曲部５８まで、線状部５１は、マルチルーメンチューブ２１の外周面２９を一周する状態で延設されている。なお、第１の屈曲部５７から第２の屈曲部５８まで、線状部５１は、マルチルーメンチューブ２１の外周面２９を二回以上の周回数だけ周回する状態で延設されてもよい。
【００３１】
孔５３Ａの近傍において前述のように線状部５１が延設されることにより、孔５３Ａでは、線状部５１によって交差部分Ｑ０が形成される。前述のように、孔５３Ａで線状部５１が延設されるため、交差部分Ｑ０において、線状部５１が線状部５１自身の外周を略一周する。
【００３２】
孔５３Ａでは、第１の軸方向延設部５５が内周方向側に向かう状態に付勢され、第２の周方向延設部６５が外周方向側に向かう状態に付勢されている。このため、交差部分Ｑ０の第１の当接位置Ａ１では、第１の軸方向延設部５５に、内周方向側から第２の周方向延設部６５が当接する。したがって、第１の当接位置Ａ１では、第２の周方向延設部６５に第１の軸方向延設部５５から内周方向へ押圧力が作用するとともに、第１の軸方向延設部５５に第２の周方向延設部６５から外周方向へ押圧力が作用する。
【００３３】
また、孔５３Ａでは、第２の軸方向延設部５６が内周方向側に向かう状態に付勢され、第１の周方向延設部６３が外周方向側に向かう状態に付勢されている。このため、交差部分Ｑ０の第２の当接位置Ａ２では、第２の軸方向延設部５６に、内周方向側から第１の周方向延設部６３が当接する。したがって、第２の当接位置Ａ２では、第１の周方向延設部６３に第２の軸方向延設部５６から内周方向へ押圧力が作用するとともに、第２の軸方向延設部５６に第１の周方向延設部６３から外周方向へ押圧力が作用する。第２の当接位置Ａ２は、第１の当接位置Ａ１より基端方向側で、かつ、第１の当接位置Ａ１より第１の周方向側に位置している。そして、交差部分Ｑ０において、第１の当接位置Ａ１と第２の当接位置Ａ２との間に、第１の屈曲部５７及び第２の屈曲部５８が位置している。
【００３４】
次に、本実施形態の内視鏡装置１の作用及び効果について説明する。内視鏡装置１では、内視鏡２に内視鏡洗浄シース３を取付けた状態で、挿入部５及び内視鏡洗浄シース３を体腔内に挿入する。そして、撮像素子（図示しない）によって観察窓１５を通して、被写体を撮像する。観察窓１５に汚れが付着した場合は、制御弁操作ボタン４５を押圧する。これにより、送気管路４２において基端方向から先端方向へ空気が送気され、送水管路４３において基端方向から先端方向へ水が送水される。そして、合流部４７において空気及び水が合流し、ノズル４８から観察窓１５に向かって空気及び水が出射される。これにより、挿入部５及び内視鏡洗浄シース３を体腔から抜脱することなく、観察窓１５に付着した汚れが洗浄される。
【００３５】
ここで、内視鏡装置１での被写体の観察においては、マルチルーメンチューブ２１に過大な外力が作用することがある。この場合、長手軸Ｃに平行な方向についてマルチルーメンチューブ２１が引張られる。マルチルーメンチューブ２１には、先端側固定部２２及び基端側固定部２３が固定されている。そして、線状部５１の先端が先端側固定部２２に固定され、線状部５１の基端が基端側固定部２３に固定されている。線状部５１は、マルチルーメンチューブ２１より長手軸Ｃに平行な方向についての引張り強度が高く、長手軸Ｃに平行な方向に引張られた場合でも、伸長しない。線状部５１を設けることにより、長手軸Ｃに平行な方向についてのマルチルーメンチューブ２１の引張り強度も高くなる。したがって、長手軸Ｃに平行な方向への引張りによる内視鏡洗浄シース３の破損が有効に防止される。
【００３６】
また、前述のように線状部５１が延設されるため、先端側接続位置Ｐ１と基端側接続位置Ｐ２との間の線状部５１の線芯軸Ｌに沿った線寸法Ｓ１は、先端側接続位置Ｐ１と基端側接続位置Ｐ２との間での長手軸Ｃに沿った軸平行寸法Ｓ２より、大きくなる。このため、線状部５１に弛みが発生する。したがって、長手軸Ｃに平行な方向への引張りによって伸長しない線状部５１を設けた場合でも、湾曲部９の湾曲性等が確保される。
【００３７】
また、内視鏡２への内視鏡洗浄シース３の取付け、及び、内視鏡２からの内視鏡洗浄シース３の取外しにおいては、内視鏡挿入管路３７において挿入部５を長手軸Ｃに沿って移動させる。この際、内視鏡挿入管路３７において挿入部５が線状部５１に接触し、孔５３Ａ（５３Ｂ）の近傍において、線状部５１が先端方向又は基端方向へ引張られることがある。
【００３８】
本実施形態では、前述のように孔５３Ａ（５３Ｂ）の近傍で線状部５１が延設されるため、内視鏡挿入管路３７において線状部５１が先端方向又は基端方向へ引張られた場合でも、交差部分Ｑ０の第１の当接位置Ａ１では、第１の周方向延設部６３及び第２の軸方向延設部５６が互いに対して押圧し合う押圧力が増加し、交差部分Ｑ０の第２の当接位置Ａ２では、第２の周方向延設部６５及び第１の軸方向延設部５５が互いに対して押圧し合う押圧力が増加する。したがって、内視鏡挿入管路３７において線状部５１が先端方向又は基端方向へ引張られた場合でも、交差部分Ｑ０において、線状部５１が締付け合う（巻付き合う）力が増加し、交差部分Ｑ０の移動が防止される。これにより、孔５３Ａ（５３Ｂ）において、線状部５１の交差部分Ｑ０の位置が維持され、孔５３Ａ（５３Ｂ）の周縁（孔規定部５２）への交差部分Ｑ０の当接が有効に防止される。これにより、交差部分Ｑ０の孔５３Ａ（５３Ｂ）の周縁への当接（食込み）に起因するマルチルーメンチューブ２１の損傷が、有効に防止される。
【００３９】
以上、本考案の実施形態等について説明したが、本考案は前述の実施形態等に限定されるものではなく、本考案の要旨を逸脱しない範囲で種々の変形ができることは勿論である。
【図１】
0003190611.tif 000003
【図２】
0003190611.tif 000004
【図３】
0003190611.tif 000005
【図４】
0003190611.tif 000006
【図５】
0003190611.tif 000007